(57)【要約】【課題】投影画面の画像が見易い投影装置を提供する。【解決手段】投影装置１０は、表示可能な画像情報が記憶される記憶部２１と、ＰＣ３（外部機器）から入力される入力画像の解像度情報を取得する通信部と、画像を投影する投影部１４と、前記表示可能な画像情報と、前記入力画像の解像度情報と、投影部１４から投影される投影画面迄の距離情報と、投影倍率情報と、に基づいて解像度を決定する制御部と、を備え、制御部は、通信部を介して、外部機器に対して前記入力画像の解像度を指示し、前記入力画像を投影部１４で投影させる。【選択図】    図１
2018054799.tif 000002
【特許請求の範囲】
【請求項１】
表示可能な画像情報が記憶される記憶部と、
外部機器から入力される入力画像の解像度情報を取得する通信部と、
画像を投影する投影部と、
前記表示可能な画像情報と、前記入力画像の解像度情報と、前記投影部から投影される投影画面迄の距離情報と、投影倍率情報と、に基づいて解像度を決定する制御部と、
を備え、
前記制御部は、前記通信部を介して、前記外部機器に対して前記入力画像の解像度を指示し、前記入力画像を前記投影部で投影させることを特徴とする投影装置。
【請求項２】
前記表示可能な画像情報と、前記入力画像の解像度情報と、に基づいてスケーリング倍率を算出する第１算出手段と、
前記投影部から投影画面迄の距離を測定する距離測定部と、
前記投影倍率情報と前記距離測定部によって測定した距離情報と、に基づいて前記投影画面の画面サイズを算出する第２算出手段と、
前記第１算出手段の算出結果と前記第２算出手段の算出結果と、に基づいて解像度情報を算出する第３算出手段と、
前記表示可能な画像情報と前記第３算出手段で算出された解像度情報とを比較して、前記表示可能な画像情報を、前記第３算出手段で算出された解像度情報で更新するか否かを判断する更新判断手段と、
を備えることを特徴とする請求項１に記載の投影装置。
【請求項３】
前記記憶部に記憶され、スケーリング倍率と画面サイズと、に対応する解像度情報が予め登録される解像度テーブルと、
を有し、
前記第３算出手段は、前記第１算出手段の算出結果と前記第２算出手段の算出結果と、に基づいて、前記解像度テーブルから前記解像度情報を選択することを特徴とする請求項２に記載の投影装置。
【請求項４】
前記投影部は、光学ズーム装置を備えることを特徴とする請求項１乃至請求項３の何れか記載の投影装置。
【請求項５】
前記表示可能な画像情報は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）に記載されることを特徴とする請求項１乃至請求項４の何れか記載の投影装置。
【請求項６】
記憶部に記憶される表示可能な画像情報と、通信部を介して外部機器から入力される入力画像の解像度情報と、画像を投影する投影部から投影される投影画面迄の距離情報と、投影倍率情報と、に基づいて解像度を決定する工程と、
前記通信部を介して、前記外部機器に対して前記入力画像の解像度を指示し、前記入力画像を前記投影部で投影させる工程と、
を備えることを特徴とする投影方法。
【請求項７】
コンピュータを、
記憶部に記憶される表示可能な画像情報と、通信部を介して外部機器から入力される入力画像の解像度情報と、画像を投影する投影部から投影される投影画面迄の距離情報と、投影倍率情報と、に基づいて解像度を決定し、
前記通信部を介して、前記外部機器に対して前記入力画像の解像度を指示し、前記入力画像を前記投影部で投影させるよう機能させるためのプログラム。
【発明の詳細な説明】
【技術分野】
【０００１】
本発明は、投影装置、投影方法及びプログラムに関する。
【背景技術】
【０００２】
従来から、パーソナルコンピュータ（ＰＣ）等と接続して、ＰＣ等から入力される画像を投影する投影装置が開示されている。例えば、特許文献１に開示される投影装置は、記憶部と、取得部と、更新部と、判定部と、を備える。記憶部は、当該投影装置が対応する解像度をＥＤＩＤ（Ｅｘｔｅｎｄｅｄ  Ｄｉｓｐｌａｙ  Ｉｄｅｎｔｉｆｉｃａｔｉｏｎ  Ｄａｔａ）として記憶する。取得部は、入力画像の解像度を取得する。判定部は、入力画像の解像度が、当該投影装置で対応している解像度であるか否かを判定し、入力される画像の解像度が当該投影装置で対応している解像度である場合には、更に、入力画像の解像度とＥＤＩＤとして記憶される解像度とを比較して、入力画像の解像度がＥＤＩＤに含まれているか否かを判定する。この結果、入力画像の解像度がＥＤＩＤに含まれていない場合には、更新部は、入力画像の解像度が含まれるようＥＤＩＤの解像度の情報を更新する。
【先行技術文献】
【特許文献】
【０００３】
【特許文献１】特開２０１４−１５３５４８号公報
【発明の概要】
【発明が解決しようとする課題】
【０００４】
ＰＣは、出力する画像について推奨される解像度をＥＤＩＤから取得することができる。しかしながら、従来の投影装置では、ＥＤＩＤが推奨する解像度は、投影装置の投影画面における画像の見え方が考慮されていない。例えば、投影装置が投影可能な解像度がＸＧＡ（１０２４×７６８）であって、ＰＣからの出力画像の解像度がＵＸＧＡ（１６００×１２００）である場合には、投影装置は、ダウンスケーリングの解像度変換を行って、ＸＧＡ（１０２４×７６８）で画像を投影する。このとき、スクリーンと投影装置の距離が近い場合には投影画面が小さくなる。従って、ＰＣから投影装置に入力された画像がダウンスケーリングされると、投影された画像中の文字やアイコン等が小さく投影され、ユーザにとって見難くなってしまうことがある。
【０００５】
本発明の目的は、投影画面の画像が見易い投影装置を提供する。
【課題を解決するための手段】
【０００６】
本発明に係る投影装置は、表示可能な画像情報が記憶される記憶部と、外部機器から入力される入力画像の解像度情報を取得する通信部と、画像を投影する投影部と、前記表示可能な画像情報と、前記入力画像の解像度情報と、前記投影部から投影される投影画面迄の距離情報と、投影倍率情報と、に基づいて解像度を決定する制御部と、を備え、前記制御部は、前記通信部を介して、前記外部機器に対して前記入力画像の解像度を指示し、前記入力画像を前記投影部で投影させることを特徴とする。
【０００７】
本発明に係る投影方法は、記憶部に記憶される表示可能な画像情報と、通信部を介して外部機器から入力される入力画像の解像度情報と、画像を投影する投影部から投影される投影画面迄の距離情報と、投影倍率情報と、に基づいて解像度を決定する工程と、前記通信部を介して、前記外部機器に対して前記入力画像の解像度を指示し、前記入力画像を前記投影部で投影させる工程と、を備えることを特徴とする。
【０００８】
本発明に係るプログラムは、コンピュータを、記憶部に記憶される表示可能な画像情報と、通信部を介して外部機器から入力される入力画像の解像度情報と、画像を投影する投影部から投影される投影画面迄の距離情報と、投影倍率情報と、に基づいて解像度を決定し、前記通信部を介して、前記外部機器に対して前記入力画像の解像度を指示し、前記入力画像を前記投影部で投影させるよう機能させる。
【発明の効果】
【０００９】
本発明によれば、ユーザが見易い投影画面を投影することができる投影装置、投影方法及びプログラムを提供することができる。
【図面の簡単な説明】
【００１０】
【図１】本発明の実施形態に係る投影装置がＰＣと接続されて、画像を投影している様子を示す図である。
【図２】本発明の実施形態に係る投影装置の構成を示すブロック図である。
【図３】本発明の実施形態に係るプログラムの構成を示す図である。
【図４】本発明の実施形態に係る投影装置の動作を示すフローチャートである。
【図５】本発明の実施形態に係る投影装置の動作を示すフローチャートである。
【図６】本発明の実施形態に係る投影装置とスクリーンとの距離の状態を示す模式図である。
【発明を実施するための形態】
【００１１】
以下、図に基づいて本発明の実施形態を説明する。図１に示すように、本発明の実施形態に係る投影装置１０は、パーソナルコンピュータ（ＰＣ）３と接続コード４で接続される。ＰＣ３からは、投影装置１０で投影する画像が出力されて、接続コード４を介して、投影装置１０に入力画像として入力される。接続コード４が接続される入力端子１２は、種々の端子（例えば、ＨＤＭＩ（登録商標）端子やＲＧＢ端子、Ｄｉｓｐｌａｙ  Ｐｏｒｔ等）で形成される。入力画像は、投影装置１０の投影部１４からスクリーン３０に向けて出射されて、スクリーン３０上に投影画面Ｓとして投影される。投影画面Ｓの画面サイズは、投影装置１０とスクリーン３０の距離に応じた所定の画面サイズとされる。
【００１２】
投影装置１０は、図２に示すように、ＣＰＵ（Ｃｅｎｔｒａｌ  Ｐｒｏｃｅｓｓｉｎｇ  Ｕｎｉｔ）２０を備える。制御部であるＣＰＵ２０は、記憶部２１、画像信号入力部２２、画像形成部２３、距離測定部２４、キー入力部２５、オーディオデバイス２６、無線通信部（通信部）２７と接続される。ＣＰＵ２０は、記憶部２１に記憶されるプログラム２１１ａに従って各部を制御する。
【００１３】
記憶部２１は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）２１１と、ＲＡＭ（Ｒａｎｄｏｍ  Ａｃｃｅｓｓ  Ｍｅｍｏｒｙ）２１２を備える。ＥＥＰＲＯＭ２１１は、プログラム２１１ａや解像度テーブル２１１ｂ、ＥＤＩＤ２１１ｃを記憶する。
【００１４】
プログラム２１１ａは、図３に示すように、第１算出手段２１１ａ１、第２算出手段２１１ａ２、第３算出手段２１１ａ３、更新手段２１１ａ４を備える。更新手段２１１ａ４は、更新判断手段２１１ａ４１を備える。投影装置１０のコンピュータであるＣＰＵ２０は、プログラム２１１ａが実行されることにより、第１算出手段２１１ａ１、第２算出手段２１１ａ２、第３算出手段２１１ａ３、更新手段２１１ａ４及び更新判断手段２１１ａ４１として機能する。
【００１５】
解像度テーブル２１１ｂは、スケーリング倍率と投影画面Ｓの画面サイズと、に対応する解像度情報が予め登録されるデータテーブルである。
【００１６】
ＥＤＩＤ２１１ｃは、１２８バイトのデータで構成される規格化されたデータ形式で、投影装置１０が投影する画像として推奨する表示可能な画像情報や、リフレッシュレート、カラー特性等が記載される。ＰＣ３等の外部機器は、ＥＤＩＤ２１１ｃから表示可能な画像情報を取得して、この表示可能な画像情報で画像を出力することができる。
【００１７】
記憶部２１のＲＡＭ２１２は、プログラム２１１ａや他のプログラムが実行される際の一時的な作業メモリエリアとして機能する。
【００１８】
画像信号入力部２２は、入力端子１２と接続されて、ＰＣ３からの画像信号が入力されて、所定の規格の画像データに変換してＣＰＵ２０に出力する。ここで、ＰＣ３からの入力画像とは、静止画像又は動画とされる。
【００１９】
画像形成部２３は、カラーホイール２３１と、カラーホイール２３１の回転位置を検出するポジションセンサ２３２と、カラーホイール２３１を駆動するモータを制御するモータドライバ２３３や、表示素子であるＤＭＤ（Ｄｉｇｉｔａｌ  Ｍｉｃｒｏｍｉｒｒｏｒ  Ｄｅｖｉｃｅ）２３４等を備えて、赤色、緑色、青色の各色波長帯域光を光源として、投影画像の画像光が形成される。画像形成部２３で形成された画像光は、投影部１４を介して出射される。画像を投影する投影部１４は、固定レンズ群と可動レンズ群からなる投影レンズを備える。可動レンズ群は、レンズモータを備えて、光学ズーム装置を構成する。
【００２０】
距離測定部２４は、投影部１４からスクリーン３０上の投影画面Ｓまでの距離を測定する。具体的には、赤外線等の受発光素子を備える光センサや、撮像素子にてスクリーン３０を撮影し、この撮影画像を解析することで投影画面Ｓまでの距離を算出する等として形成することができる。
【００２１】
キー入力部２５は、ユーザが操作する操作キーや操作パネルで構成される。ユーザにより入力された操作信号は、ＣＰＵ２０に入力される。
【００２２】
オーディオデバイス２６は、Ｄ／Ａコンバータ、増幅器、スピーカ等を備え、入力される音声信号を変換して、スピーカから音声を出力する。
【００２３】
通信部である無線通信部２７は、制御マイコン２７１と、ＲＦトランシーバ２７２を備えて、ユーザが操作するリモコン機器からの操作信号を受信して、ＣＰＵ２０に出力する。そして、無線通信部２７は、外部機器であるＰＣ３から入力される入力画像の解像度情報を取得する。
【００２４】
次に、投影装置１０における解像度情報算出処理の動作を図４及び図５のフローチャートに従って説明する。先ず、現在のコンディションにおける解像度情報取得の処理が開始される（ステップ：Ｓ１００）。ここで、「コンディション」とは、図１のように、ＰＣ３や投影装置１０、スクリーン３０がセッティングされた状態をいう。また、この処理を開始するトリガーは、投影装置１０及びＰＣ３の電源ＯＮ状態における接続コード４の接続であるが、ユーザがキー入力部２５又はリモコン機器の操作による操作信号の入力や、投影装置１０の自動判別により開始しても良い。
【００２５】
次に、画像信号入力部２２を介して、ＰＣ３からの入力画像の解像度情報がＣＰＵ２０に入力される（ステップ：Ｓ１１０）。これは、無線通信部２７（通信部）によって、ＰＣ３（外部機器）から入力される入力画像の解像度情報を取得する。次に、投影装置１０（デバイス）の対応解像度（すなわち、投影装置１０が表示可能な画像情報）がＣＰＵ２０に取得される（ステップ：Ｓ１２０）。この表示可能な画像情報（解像度情報）は、記憶部２１に記憶されている。次に、第１算出手段２１１ａ１により、ステップＳ１１０で取得した入力画像の解像度と投影装置１０の表示可能な画像情報と、に基づいてＰＣ３からの入力画像の解像度変換を行うためのスケーリング倍率を算出する（ステップ：Ｓ１３０）。
【００２６】
ここで、スケーリング倍率とは、入力画像の画素数を増減させる倍率をいう。例えば、入力画像がＵＸＧＡ（１６００×１２００）であり、投影装置１０の対応解像度がＸＧＡ（１０２４×７６８）である場合には、入力画像をＸＧＡとするスケーリング倍率（ダウンスケーリング）が算出される。一方、入力画像がＳＶＧＡ（８００×６００）であり、投影装置１０の対応解像度がＸＧＡ（１０２４×７６８）である場合には、入力画像をＸＧＡとするスケーリング倍率（アップスケーリング）が算出される。
【００２７】
次に、距離測定部２４により、投影画面Ｓと投影部１４の距離を算出（測定）する（ステップ：Ｓ１４０）。次に、投影部１４における光学倍率情報（投影倍率情報）が取得される（ステップ：Ｓ１５０）。具体的には、投影部１４の光学ズーム装置における光学ズームポジションに対応する光学倍率の情報が取得される。
【００２８】
次に、第２算出手段２１１ａ２により、投影部１４の光学倍率情報と距離測定部２４により測定した距離（距離情報）と、に基づいて投影画面Ｓの画面サイズを算出する（ステップ：Ｓ１６０）。
【００２９】
そして、第３算出手段２１１ａ３により、ステップＳ１３０における第１算出手段２１１ａ１の算出結果とステップＳ１６０における第２算出手段２１１ａ２の算出結果と、に基づいて解像度情報が算出される（ステップ：Ｓ１７０）。具体的には、ＥＥＰＲＯＭ２１１に予め記憶された、スケーリング倍率と画面サイズと、に対応する解像度情報からなる解像度テーブル２１１ｂから、最適な解像度が選択されて取得される。
【００３０】
次に、図５で示すように、更新手段２１１ａ４が備える更新判断手段２１１ａ４１により、第３算出手段２１１ａ３の算出結果（すなわち、解像度テーブル２１１ｂから選択された解像度情報）と、ＥＤＩＤ２１１ｃに記載される表示可能な画像情報と、を比較して、ＥＤＩＤ２１１ｃを更新するか否かが判断される（ステップ：Ｓ１８０）。
【００３１】
ステップＳ１８０でＥＤＩＤ２１１ｃを更新すると判断される場合（すなわち、第３算出手段２１１ａ３の算出で得られた解像度情報とＥＤＩＤ２１１ｃに記載される表示可能な画像情報が異なる場合）には、更新判断手段２１１ａ４１は更新手段２１１ａ４にＥＤＩＤ２１１ｃに記載される表示可能な画像情報を第３算出手段２１１ａ３の算出で得られた解像度情報で更新するよう指示して（ステップＳ１９０）処理を終了する。ＥＤＩＤ２１１ｃを更新しないと判断される場合（すなわち、第３算出手段２１１ａ３の算出で得られた解像度情報とＥＤＩＤ２１１ｃに記載される表示可能な画像情報が同じ場合）には、更新判断手段２１１ａ４１は更新手段２１１ａ４に処理を終了するよう指示する。以上のように、制御部は、表示可能な画像情報と、入力画像の解像度情報と、投影部から投影される投影画面迄の距離情報と、投影倍率情報と、に基づいて解像度を決定する。
【００３２】
次に、解像度情報算出処理と、ＥＤＩＤ２１１ｃの更新後の状態を具体的に説明する。図６は、スクリーン３０と投影装置１０の投影部１４との距離が異なる状態（コンディション１、コンディション２）を示す。コンディション１における距離を距離Ｌ１とし、コンディション２における距離を距離Ｌ２とする。スクリーン３０と投影部１４との距離は、距離Ｌ２より距離Ｌ１が長い。従って、画面サイズは、画面サイズ（Ｓ２）より画面サイズ（Ｓ１）が大きい。
【００３３】
また、投影装置１０は、ＸＧＡ（１０２４×７６８）までの画像に対応して投影可能であるとする。また、コンディション１，２における光学倍率は同じとする。そして、ＰＣ３からの画像は、ＵＸＧＡ（１６００×１２００）の画像であるとする。
【００３４】
この場合、コンディション１、コンディション２の両者ともに、図４、図５で示す解像度情報算出処理のフローが開始されると、第１算出手段２１１ａ１により、解像度がＵＸＧＡ（１６００×１２００）の入力画像に対して解像度をＸＧＡ（１０２４×７６８）とするダウンスケーリングのスケーリング倍率が算出される（ステップＳ１１０〜Ｓ１３０）。
【００３５】
すると、コンディション１の状態では、距離Ｌ１と投影装置１０の光学倍率から投影画面Ｓの画面サイズ（Ｓ１）が算出される（ステップＳ１４０〜Ｓ１６０）。この画面サイズ（Ｓ１）とスケーリング倍率とにより、解像度テーブル２１１ｂから解像度情報はＸＧＡ（１０２４×７６８）と選択される（ステップＳ１７０）。
【００３６】
ＥＤＩＤ２１１ｃに記載されている表示可能な画像情報と解像度情報が異なる場合（ステップＳ１８０）には、ＥＤＩＤ２１１ｃに記載されている表示可能な画像情報は解像度情報で更新される（ステップＳ１９０）。従って、ＰＣ３は、ＥＤＩＤ２１１ｃから表示可能な画像情報（ＸＧＡ（１０２４×７６８））を読み込んで、表示可能な画像情報（ＸＧＡ（１０２４×７６８））で画像を投影装置１０に出力する。ＥＤＩＤ２１１ｃに記憶されている表示可能な画像情報と解像度情報が同じＸＧＡ（１０２４×７６８）である場合には、ＥＤＩＤ２１１ｃの更新は行われない（ステップＳ１８０）。
【００３７】
コンディション２の状態では、距離Ｌ２から投影画面Ｓの画面サイズ（Ｓ２）が算出されると（ステップＳ１４０〜Ｓ１６０）、この画面サイズ（Ｓ２）とスケーリング倍率とにより、解像度テーブル２１１ｂから解像度情報はＳＶＧＡ（８００×６００）が選択される。
【００３８】
ＥＤＩＤ２１１ｃに記載されている表示可能な画像情報と解像度情報が異なる場合（ステップＳ１８０）には、ＥＤＩＤ２１１ｃに記載される表示可能な画像情報は解像度情報で更新される（ステップＳ１９０）。従って、ＰＣ３は、ＥＤＩＤ２１１ｃから表示可能な画像情報（ＳＶＧＡ（８００×６００））を読み込んで、表示可能な画像情報（ＳＶＧＡ（８００×６００））で画像を投影装置１０に出力する。ＥＤＩＤ２１１ｃに記載されている表示可能な画像情報と解像度情報が同じＳＶＧＡ（８００×６００）である場合には、ＥＤＩＤ２１１ｃの更新は行われない（ステップＳ１８０）。
【００３９】
図４、図５に示す解像度情報算出処理が終了した後、ＰＣ３からの入力画像が投影装置１０によりスクリーン３０に投影される。コンディション１においては、ＸＧＡ（１０２４×７６８）で入力された画像が、スケーリング倍率を等倍として投影される。画面サイズ（Ｓ１）は大きいサイズであるので、画像中の文字等はユーザに十分認識される。
【００４０】
コンディション２においては、ＰＣ３からＳＶＧＡ（８００×６００）の画像が投影装置１０に入力される。すると、投影装置１０により、ＰＣ３からの入力画像をＸＧＡ（１０２４×７６８）とする解像度変換（アップスケーリング）が行われる。
【００４１】
従って、コンディション１における投影画面Ｓの画面サイズ（Ｓ１）よりも小さい画面サイズ（Ｓ２）であるコンディション２における投影であっても、投影装置１０により入力画像のアップスケーリングが行われるので、画像中の文字やアイコン等の大きさが拡大されて、ユーザにとって見易い投影を行うことができる。
【００４２】
なお、記憶部２１により、各コンディションの状態を記憶させて、各コンディションが復元された場合には同じ解像度情報でＥＤＩＤ２１１ｃの表示可能な画像情報を更新させることもできる。この場合、処理速度を向上することができる。また、解像度情報の算出は、画像中の文字やアイコンの大きさを考慮したり、スクリーン３０の大きさを考慮したりして算出することもできる。
【００４３】
以上の通り、本発明の投影装置１０は、表示可能な画像情報が記憶される記憶部２１と、ＰＣ３（外部機器）から入力される入力画像の解像度情報を取得する無線通信部２７（通信部）と、投影部１４と、表示可能な画像情報と、入力画像の解像度情報と、投影部１４から投影される投影画像迄の距離情報と、投影倍率情報と、に基づいて解像度を決定するＣＰＵ２０（制御部）と、を備えて、制御部は、通信部を介して、外部機器に対して入力画像の解像度を指示し、入力画像度を投影部１４で投影させる。
【００４４】
これにより、投影装置１０の対応解像度や設置の状況に応じて、ユーザが見易い投影画像を投影できる投影装置１０を提供することができる。
【００４５】
また、スケーリング倍率を算出する第１算出手段２１１ａ１と、投影部１４と投影画面Ｓ迄の距離を測定する距離測定部２４と、投影画面Ｓの画面サイズを算出する第２算出手段２１１ａ２と、解像度情報を算出する第３算出手段２１１ａ３と、はＥＤＩＤ２１１ｃとして記憶部２１に記憶される表示可能な画像情報と、この表示可能な画像情報を解像度情報で更新するか否かを判断する更新判断手段２１１ａ４１を有する。
【００４６】
これにより、スクリーン３０と投影装置１０の距離が短い場合等、投影画面の画面サイズが小さくて、ダウンスケーリングが行われると画像中の文字やアイコン等が見難くなってしまう場合でも、ユーザが見易い画像となるよう自動でＥＤＩＤの表示可能な画像情報が書き換えられるので、投影装置１０と、スクリーン３０との距離に関わらず、投影画像が見易い投影装置１０を提供することができる。
【００４７】
また、記憶部２１には、解像度テーブル２１１ｂが記憶される。第３算出手段２１１ａ３は、スケーリング倍率と画面サイズと、に対応する解像度情報を解像度テーブル２１１ｂから選択して取得することができる。
【００４８】
また、投影部１４は、光学ズーム装置を備える。これにより、投影装置１０が投影可能なスクリーン３０との距離を種々選択出来得る。
【００４９】
また、表示可能な画像情報はＥＤＩＤ２１１ｃに記憶されている。これにより、ＥＤＩＤに対応する外部機器との情報のやり取りをスムーズに行うことができる。
【００５０】
また、投影装置１０の投影方法は、記憶部２１に記憶される表示可能な画像情報と、通信部を介して外部機器から入力される入力画像の解像度情報と、画像を投影する投影部から投影される投影画面迄の距離情報と、投影倍率情報と、に基づいて解像度を決定する工程と、通信部を介して、外部機器に対して入力画像の解像度を指示し、入力画像を投影部１４で投影させる工程と、を備える。これにより、ユーザが見易い投影を行うことができる投影方法を提供することができる。
【００５１】
なお、図４における解像度情報算出処理では、ステップＳ１１０〜Ｓ１３０と、ステップＳ１４０〜Ｓ１６０と、を並列して処理することもできる。これにより、処理スピードを向上させることができる。
【００５２】
また、プログラム２１１ａは、ＣＰＵ２０（コンピュータ）を、記憶部２１に記憶される表示可能な画像情報と、通信部を介して外部機器から入力される入力画像の解像度情報と、画像を投影する投影部１４から投影される投影画面迄の距離情報と、投影倍率情報と、に基づいて解像度を決定し、通信部を介して、外部機器に対して入力画像の解像度を指示し、入力画像を投影部１４で投影させるよう機能させる。これにより、投影装置１０のＣＰＵ２０を、ユーザが見易い画像を投影することができるよう機能させることができる。
【００５３】
また、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００５４】
以下に、本願出願の最初の特許請求の範囲に記載された発明を付記する。
［１］
表示可能な画像情報が記憶される記憶部と、
外部機器から入力される入力画像の解像度情報を取得する通信部と、
画像を投影する投影部と、
前記表示可能な画像情報と、前記入力画像の解像度情報と、前記投影部から投影される投影画面迄の距離情報と、投影倍率情報と、に基づいて解像度を決定する制御部と、
を備え、
前記制御部は、前記通信部を介して、前記外部機器に対して前記入力画像の解像度を指示し、前記入力画像を前記投影部で投影させることを特徴とする投影装置。
［２］
前記表示可能な画像情報と、前記入力画像の解像度情報と、に基づいてスケーリング倍率を算出する第１算出手段と、
前記投影部から投影画面迄の距離を測定する距離測定部と、
前記投影倍率情報と前記距離測定部によって測定した距離情報と、に基づいて前記投影画面の画面サイズを算出する第２算出手段と、
前記第１算出手段の算出結果と前記第２算出手段の算出結果と、に基づいて解像度情報を算出する第３算出手段と、
前記表示可能な画像情報と前記第３算出手段で算出された解像度情報とを比較して、前記表示可能な画像情報を、前記第３算出手段で算出された解像度情報で更新するか否かを判断する更新判断手段と、
を備えることを特徴とする前記［１］に記載の投影装置。
［３］
前記記憶部に記憶され、スケーリング倍率と画面サイズと、に対応する解像度情報が予め登録される解像度テーブルと、
を有し、
前記第３算出手段は、前記第１算出手段の算出結果と前記第２算出手段の算出結果と、に基づいて、前記解像度テーブルから前記解像度情報を選択することを特徴とする前記［２］に記載の投影装置。
［４］
前記投影部は、光学ズーム装置を備えることを特徴とする前記［１］乃至前記［３］の何れか記載の投影装置。
［５］
前記表示可能な画像情報は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）に記載されることを特徴とする前記［１］乃至前記［４］の何れか記載の投影装置。
［６］
記憶部に記憶される表示可能な画像情報と、通信部を介して外部機器から入力される入力画像の解像度情報と、画像を投影する投影部から投影される投影画面迄の距離情報と、投影倍率情報と、に基づいて解像度を決定する工程と、
前記通信部を介して、前記外部機器に対して前記入力画像の解像度を指示し、前記入力画像を前記投影部で投影させる工程と、
を備えることを特徴とする投影方法。
［７］
コンピュータを、
記憶部に記憶される表示可能な画像情報と、通信部を介して外部機器から入力される入力画像の解像度情報と、画像を投影する投影部から投影される投影画面迄の距離情報と、投影倍率情報と、に基づいて解像度を決定し、
前記通信部を介して、前記外部機器に対して前記入力画像の解像度を指示し、前記入力画像を前記投影部で投影させるよう機能させるためのプログラム。
【符号の説明】
【００５５】
３  パーソナルコンピュータ（ＰＣ）        ４  接続コード
１０  投影装置                          １２  入力端子
１４  投影部                            ２０  ＣＰＵ
２１  記憶部                            ２２  画像信号入力部
２３  画像形成部                        ２４  距離測定部
２５  キー入力部                        ２６  オーディオデバイス
２７  無線通信部                        ３０  スクリーン
２１１  ＥＥＰＲＯＭ                ２１１ａ  プログラム
２１１ａ１  第１算出手段            ２１１ａ２  第２算出手段
２１１ａ３  第３算出手段            ２１１ａ４  更新手段
２１１ａ４１  更新判断手段          ２１１ｂ  解像度テーブル
２１１ｃ  ＥＤＩＤ                    ２１２  ＲＡＭ
２３１  カラーホイール                ２３２  ポジションセンサ
２３３  モータドライバ                ２７１  制御マイコン
２７２  ＲＦトランシーバ
【図１】
2018054799.tif 000003
【図２】
2018054799.tif 000004
【図３】
2018054799.tif 000005
【図４】
2018054799.tif 000006
【図５】
2018054799.tif 000007
【図６】
2018054799.tif 000008